(57)【要約】【課題】伝送効率を減少することなく所定の伝送品質を満足し誤りの少ない映像伝送を実現する。【解決手段】送信装置１は、全チャンネルに共通の初期検査ビット数を設定し、受信側で観測されたチャンネルごとの伝送品質指標を取得し、チャンネルごとに初期検査ビット数を増減させた検査ビット数を決定する検査ビット数決定部１２と、入力される映像信号を、チャンネルごとに前記検査ビット数の検査ビットを付与して、誤り訂正符号化する誤り訂正符号化部１１と、を備え、検査ビット数決定部１２は、前記伝送品質指標が示す伝送品質が悪いほど検査ビット数が大きくなり、且つ、検査ビット数の全チャンネルの合計がチャンネル数及び初期検査ビット数の積と等しくなるように検査ビット数を決定する。【選択図】図１
2015173337.tif 000002
【特許請求の範囲】
【請求項１】
複数チャンネルの映像信号に検査ビットを付与して誤り訂正符号化した符号化信号を送信する送信装置であって、
全チャンネルに共通の初期検査ビット数を設定し、受信側で観測されたチャンネルごとの伝送品質指標を取得し、チャンネルごとに初期検査ビット数を増減させた検査ビット数を決定する検査ビット数決定部と、
入力される映像信号を、チャンネルごとに前記検査ビット数の検査ビットを付与して誤り訂正符号化し、符号化信号を出力する誤り訂正符号化部と、を備え、
前記検査ビット数決定部は、前記伝送品質指標が示す伝送品質が悪いほど検査ビット数が大きくなり、且つ、検査ビット数の全チャンネルの合計がチャンネル数及び初期検査ビット数の積と等しくなるように検査ビット数を決定することを特徴とする送信装置。
【請求項２】
各チャンネルの誤り訂正符号化後の伝送レートが同一となるように、各チャンネルの前記映像信号をマッピングするマッピング部を更に備え、
前記誤り訂正符号化部は、前記マッピングされた映像信号を、チャンネルごとに前記検査ビット数の検査ビットを付与して誤り訂正符号化し、符号化信号を出力することを特徴とする、請求項１に記載の送信装置。
【請求項３】
請求項１に記載の送信装置から前記符号化信号を受信する受信装置であって、
前記検査ビット数を取得し、該検査ビット数に基づいて各チャンネルの前記符号化信号を誤り訂正する誤り訂正復号部
を備えることを特徴とする受信装置。
【請求項４】
請求項２に記載の送信装置から前記符号化信号を受信する受信装置であって、
前記検査ビット数を取得し、該検査ビット数に基づいて各チャンネルの前記符号化信号を誤り訂正し、復号信号を出力する誤り訂正復号部と、
各チャンネルの前記復号信号の伝送レートが同一となるように、該復号信号をデマッピングするデマッピング部と、
を備えることを特徴とする受信装置。
【請求項５】
複数チャンネルの映像信号に検査ビットを付与して誤り訂正符号化した符号化信号を送信する送信装置に対して、誤り訂正符号化する際の検査ビット数を決定する検査ビット数決定方法であって、
全チャンネルに共通の初期検査ビット数を設定するステップと、
受信側で観測されたチャンネルごとの伝送品質指標を取得するステップと、
前記伝送品質指標が示す伝送品質が悪いほど検査ビット数が大きくなり、且つ、検査ビット数の全チャンネルの合計がチャンネル数及び初期検査ビット数の積と等しくなるように、チャンネルごとに前記初期検査ビット数を増減させた検査ビット数を決定するステップと、
を含むことを特徴とする検査ビット数決定方法。
【発明の詳細な説明】
【技術分野】
【０００１】
本発明は、映像信号を誤り訂正符号化して送信する送信装置、該送信装置から信号を受信し誤り訂正復号する受信装置、及び訂正符号の検査ビット数決定方法に関する。
【背景技術】
【０００２】
近年、ハイビジョンを超える超高精細映像として４Ｋや８Ｋスーパーハイビジョン（ＳＨＶ）の開発が進んでいる。例えば、ＳＨＶでは非圧縮の素材信号を放送局まで伝送する場合、１映像フレームが７６８０サンプル×４３２０ラインの超高精細映像を１２ビット量子化、ＲＧＢ４：４：４方式、及びフレーム周波数６０Ｈｚで伝送すると、映像データの情報伝送速度は約７２Ｇｂｐｓに達する。このように超大容量の映像信号を伝送する方法としては、元の映像信号を複数本の光信号に分割・多重して伝送する方法がある。特許文献１には、さらに映像信号を分割した信号の各々に誤り訂正符号化を適用することで受信信号の品質を改善する方法が記されている。
【０００３】
一方、光ファイバ伝送システムにおいては、大容量伝送を実現するために、複数の波長からなる光信号を多重した波長多重（ＷＤＭ）伝送技術が広く普及している（例えば、特許文献２参照）。
【０００４】
図１０に、従来の誤り訂正符号を用いたＷＤＭ映像信号伝送システムを示す。映像信号を分割して構成される複数の信号は、送信装置１００において、誤り訂正符号化部により各信号に対して同一の誤り訂正符号の種類及び同一の冗長度による誤り訂正符号化が行われる。その後、Ｅ／Ｏ変換装置２００に電気／光変換され、波長が異なるＮ本の光信号を出力する。送信装置に入力される映像信号の伝送速度が同じ場合、各々の光信号は同一の伝送速度を有する。
【０００５】
Ｎ本の光信号は、波長多重フィルタ３００により１本の光ファイバに多重される。伝送路では、必要に応じて線路の途中に増幅器４００を設置して信号を中継しながら伝送する。これは、目標とする距離を伝送する際に、伝送路として用いられる光ファイバにおける伝送損失を補償しながら、受信側において所望の品質を満たすためである。
【０００６】
受信側では、波長分離フィルタ５００によりＮ本の光信号に分離してＯ／Ｅ変換部６００により光／電気変換する。その後、受信装置７００において、誤り訂正復号部により、受信した光信号の誤りビットを検出・訂正して映像信号を復元する。
【０００７】
ここで、伝送品質指標のひとつとして、受信信号電力と雑音電力の比によって定義されるＳＮＲ値がある。図１１にＳＮＲに対するビット誤り率（ＢＥＲ）特性のイメージを示す。図１０に示したＷＤＭ映像信号伝送システムにおいて、誤り訂正符号を適用することで、適用しない場合に比較して、同一ＳＮＲ値におけるＢＥＲを改善することができる。なお、改善量は、誤り訂正符号の種類や冗長度によって変化する。また、図の破線は、映像信号をある情報量伝送した場合に所望のＢＥＲを満たすＳＮＲ値（所要ＳＮＲ値）であり、伝送システムは実際のＳＮＲ値が所要ＳＮＲ値を上回るように設計される。
【先行技術文献】
【特許文献】
【０００８】
【特許文献１】特開２０１２−２３９１２３号公報
【特許文献２】特開平９−２６１２０５号公報
【発明の概要】
【発明が解決しようとする課題】
【０００９】
複数の光信号を多重して伝送する場合、通常は、各チャンネルの光信号の伝送パラメータ（情報速度、誤り訂正符号化方式、光出力など）は同一としている。Ｏ／Ｅ変換後の受信装置の電気信号のＳＮＲ値は、送信装置の出力信号レベル、伝送路の損失（≒伝送距離）、増幅器が放出する雑音（≒中継増幅器の個数）、光伝送路の非線形による信号劣化や受信装置における熱雑音など種々の要因によって決定される。
【００１０】
図１２は、３チャンネルの場合の信号伝送後のＳＮＲを示す図である。光伝送路では伝送に使用する波長の依存性によって、チャンネル間でＳＮＲが均一とならない場合がある。図１２に示す例では、チャンネル１のＳＮＲ値ａ＜チャンネル２のＳＮＲ値ｂ＜チャンネル３のＳＮＲ値ｃである。この場合、伝送する映像信号が全体で誤りが少なくなるように伝送システムを設計する必要があるため、一番小さいＳＮＲ値であるＳＮＲ値ａが所要ＳＮＲ値を満たす（所要ＳＮＲ値を上回る）ように設計する。
【００１１】
目標とする伝送距離が与えられた場合、設計の方法としては大きく以下の２通り考えられる。
＜第１の方法＞送信装置の出力信号のレベルを増大して中継増幅器の個数を減らし、ＳＮＲ値を大きくする。
＜第２の方法＞映像信号を構成する複数の信号の誤り訂正符号化における冗長度をより大きくすることで、ＢＥＲの改善量を大きくして所要ＳＮＲ値を小さくする。
【００１２】
しかしながら、第１の方法では、例えば中継増幅器の個数の削減（≒雑音電力の低減）を行うことでＳＮＲは改善するが、削減された増幅器が増幅していた電力分を送信装置の出力信号のレベルを増大させることで補おうとすると、伝送効率が減少してしまうという課題がある。なお、伝送効率とは、伝送システム全体の情報１ビットを伝送するための送信信号電力とする。すなわち、情報１ビットを伝送するための送信信号電力が増大すると伝送効率は減少し、情報１ビットを伝送するための送信信号電力が減少すると伝送効率は増大する。
【００１３】
また、第２の方法では、複数の信号の全ての誤り訂正符号化の冗長度を同じように増大させることで、例えば、もともとチャンネル１のＳＮＲ値ａに比較してＳＮＲ値が大きいチャンネル２，３にとっては所要ＳＮＲ値に対してＳＮＲ値が余剰になるため、冗長度が増大した分、伝送効率が減少してしまうという課題がある。
【００１４】
かかる事情に鑑みてなされた本発明の目的は、伝送効率を減少することなく所定の伝送品質を満足し誤りの少ない映像伝送を実現することが可能な送信装置、受信装置、及び検査ビット数決定方法を提供することにある。
【課題を解決するための手段】
【００１５】
上記課題を解決するため、本発明に係る第１の送信装置は、複数チャンネルの映像信号に検査ビットを付与して誤り訂正符号化した符号化信号を送信する送信装置であって、全チャンネルに共通の初期検査ビット数を設定し、受信側で観測されたチャンネルごとの伝送品質指標を取得し、チャンネルごとに初期検査ビット数を増減させた検査ビット数を決定する検査ビット数決定部と、入力される映像信号を、チャンネルごとに前記検査ビット数の検査ビットを付与して誤り訂正符号化し、符号化信号を出力する誤り訂正符号化部と、を備え、前記検査ビット数決定部は、前記伝送品質指標が示す伝送品質が悪いほど検査ビット数が大きくなり、且つ、検査ビット数の全チャンネルの合計がチャンネル数及び初期検査ビット数の積と等しくなるように検査ビット数を決定することを特徴とする。
【００１６】
また、本発明に係る第２の送信装置は、第１の送信装置に対して、各チャンネルの誤り訂正符号化後の伝送レートが同一となるように、各チャンネルの前記映像信号をマッピングするマッピング部を更に備え、前記誤り訂正符号化部は、前記マッピングされた映像信号を、チャンネルごとに前記検査ビット数の検査ビットを付与して誤り訂正符号化し、符号化信号を出力することを特徴とする。
【００１７】
また、本発明に係る第１の受信装置は、上述した第１の送信装置から前記符号化信号を受信する受信装置であって、前記検査ビット数を受信し、該検査ビット数に基づいて各チャンネルの前記符号化信号を誤り訂正する誤り訂正復号部を備えることを特徴とする。
【００１８】
また、本発明に係る第２の受信装置は、上述した第２の送信装置から前記符号化信号を受信する受信装置であって、前記検査ビット数を受信し、該検査ビット数に基づいて各チャンネルの前記符号化信号を誤り訂正し、復号信号を出力する誤り訂正復号部と、各チャンネルの前記復号信号の伝送レートが同一となるように、該復号信号をデマッピングするデマッピング部と、を備えることを特徴とする。
【００１９】
また、本発明に係る検査ビット数決定方法は、複数チャンネルの映像信号に検査ビットを付与して誤り訂正符号化した符号化信号を送信する送信装置に対して、誤り訂正符号化する際の検査ビット数を決定する検査ビット数決定方法であって、全チャンネルに共通の初期検査ビット数を設定するステップと、受信側で観測されたチャンネルごとの伝送品質指標を取得するステップと、前記伝送品質指標が示す伝送品質が悪いほど検査ビット数が大きくなり、且つ、検査ビット数の全チャンネルの合計がチャンネル数及び初期検査ビット数の積と等しくなるように、チャンネルごとに前記初期検査ビット数を増減させた検査ビット数を決定するステップと、を含むことを特徴とする。
【発明の効果】
【００２０】
本発明によれば、受信信号の伝送品質指標（ＳＮＲ値、Ｑ値、ＢＥＲ、又はＭＥＲなど）が均一とならない場合に、誤り訂正符号化の冗長度を変化させることで、伝送効率を減少することなく所定の伝送品質を満足し誤りの少ない映像伝送を実現することができる。
【図面の簡単な説明】
【００２１】
【図１】本発明の第１の実施形態に係る送信装置の概略構成を示すブロック図である。
【図２】本発明の第１の実施形態に係る送信装置における誤り訂正符号化部の概略構成を示すブロック図である。
【図３】本発明の第１の実施形態に係る送信装置における検査ビット数決定部の動作を示すフローチャートである。
【図４】本発明の第１の実施形態に係る受信装置の概略構成を示すブロック図である。
【図５】本発明の第１の実施形態に係る受信装置における誤り訂正復号部の概略構成を示すブロック図である。
【図６】本発明の第２の実施形態に係る送信装置の概略構成を示すブロック図である。
【図７】本発明の第２の実施形態に係る受信装置の概略構成を示すブロック図である。
【図８】本発明の第２の実施形態に係る送信装置の誤り訂正符号の具体例を示す図である。
【図９】図８に示したＢＣＨ符号の冗長度を適用した場合のＳＮＲ対ＢＥＲ特性を示す図である。
【図１０】従来の誤り訂正符号を用いたＷＤＭ映像信号伝送システムを示す図である。
【図１１】ＳＮＲ対ＢＥＲ特性例を示す図である。
【図１２】信号伝送後のＳＮＲを示す図である。
【図１３】従来の検査ビット数の決定方法を示すフローチャートである。
【発明を実施するための形態】
【００２２】
以下、本発明の実施形態について、図面を参照して詳細に説明する。
【００２３】
（第１の実施形態）
図１は、本発明の第１の実施形態に係る送信装置の概略構成を示すブロック図である。図１に示す例では、送信装置１は、Ｎ個の誤り訂正符号化部１１（１１−１〜１１−Ｎ）と、検査ビット数決定部１２とを備える。送信装置１は、チャンネル１〜ＮのＮ個のチャンネル（Ｎ本の信号）に分割された映像信号を入力し、誤り訂正符号化して符号化信号を送信する。
【００２４】
誤り訂正符号化部１１は、伝送レートがｘｂｐｓの映像信号をそれぞれ入力し、映像信号を誤り訂正符号化し、伝送レートがｙ１〜ｙＮｂｐｓの信号を出力する。
【００２５】
図２は、誤り訂正符号化部１１の構成例を示すブロック図である。図２に示す例では、誤り訂正符号化部１１は、検査ビット付与部１１１と、誤り符号化部１１２とを備える。
【００２６】
検査ビット付与部１１１は、検査ビット数決定部１２から検査ビット数を入力する。ｎ−ｋｉビットの情報ビットごとにｋｉビットの検査ビットを計算して付与する。ここで、添え字のｉはチャンネル番号（１≦ｉ≦Ｎ）を意味する。
【００２７】
誤り符号化部１１２は、ｎビットに誤り符号化された信号を出力する。この場合、冗長度は、ｋｉ／ｎとなる。検査ビット数決定部１２により決定される検査ビット数を、誤り訂正符号化部１１−１はｋ１ビット、・・・、誤り訂正符号化部１１−ＮはｋＮビットとすると、出力信号の伝送レートは、式（１）で表すことができる。
【００２８】
【数１】
2015173337.tif 000003
【００２９】
検査ビット数決定部１２は、受信側で観測されたチャンネルごとの伝送品質指標を取得し、各チャンネルが所望のＢＥＲを満たすように、誤り訂正符号化部１１に付与する検査ビット数ｋｉを決定する。一般的には、ｎを固定した場合、冗長度が大きくなるほど、すなわち検査ビット数が大きくなるほど、図１１で示した、誤り訂正なしの場合からの誤り訂正ありの場合のＢＥＲの改善量は大きくなる。以下、比較のために、従来の検査ビット数の決定方法を説明した後、本発明の検査ビット数の決定方法を説明する。
【００３０】
図１３は、従来の検査ビット数決定方法の動作例を示すフローチャートである。送信側で、受信側において観測されたチャンネルごと（波長ごと）のＳＮＲ値リストを取得する（ステップＳ１０１）。取得の方法は、例えば受信側で観測されたＳＮＲ値を送信側へ別回線を用いてフィードバックする方法や、オフラインで受信側から送信側へ通知する方法がある。
【００３１】
次に、予め設定されている所要ＳＮＲ値を取得し（ステップＳ１０２）、取得したＳＮＲ値リストに所要ＳＮＲ値よりも小さいＳＮＲ値が存在するか否かを判定する（ステップＳ１０３）。一つでも所要ＳＮＲ値よりも小さいＳＮＲ値が存在する場合には（ステップＳ１０３−Ｙｅｓ）、所定のＢＥＲを超えるビット誤りが発生し、誤りの少ない映像伝送が困難になることが想定されるため、構成変更する（ステップＳ１０４）。構成変更は、例えば上述した第１の方法又は第２の方法により行う。ただし、構成変更をすることにより伝送効率は減少する。構成変更後、再度ステップＳ１０１に戻る。
【００３２】
一方、所要ＳＮＲ値よりも小さいＳＮＲ値が存在しない場合には（ステップＳ１０３−Ｎｏ）、所定のＢＥＲ以下のビット誤り率で映像を伝送できると考えられる。また、誤り訂正符号の種類及び検査ビット数（冗長度）により所要ＳＮＲ値は変化する。よって、全チャンネルの所要ＳＮＲ値がステップＳ１０２で取得した所要ＳＮＲ値となるように、全チャンネル共通の検査ビット数ｋを決定する（ステップＳ１０５）。
【００３３】
図３は、本発明に係る検査ビット数決定部１２による検査ビット数決定方法の動作例を示すフローチャートである。本処理は、伝送を始める前に開始してもよいし、伝送中に伝送品質指標の劣化を監視・検知することで開始してもよい。また、本処理は検査ビット数決定部１２が行う代わりにユーザが行い、誤り訂正符号化する際の検査ビット数をユーザが決定し、誤り訂正符号化部１１に設定するようにしてもよい。
【００３４】
初めに、全チャンネルに共通の初期検査ビット数ｋを設定する（ステップＳ２０１）。そして、送信側で、受信側において観測されたチャンネルごとのＳＮＲ値リスト（ＳＮＲｉ）を取得する（ステップＳ２０２）。なお、ＳＮＲ値以外の伝送品質指標を用いてもよい。伝送品質指標の取得方法は、例えば受信側で観測された伝送品質指標を送信側へ別回線を用いてフィードバックする方法や、オフラインで受信側から送信側へ通知する方法がある。以下、各誤り訂正符号化部１１に付与される検査ビット数をｋｉとして説明する。
【００３５】
次に、予め設定されている所望のＢＥＲ値（ｔＢＥＲ）を取得し（ステップＳ２０３）、式（２）によりｋｉｍｉｎを求める（ステップＳ２０４）。
【００３６】
【数２】
2015173337.tif 000004
【００３７】
ここで、ＢＥＲ（ＳＮＲｉ，ｋ’）は、ＳＮＲｉにおける検査ビット数ｋ’から決定されるビット誤り率を意味する。ｋｉｍｉｎは、所望のＢＥＲよりもビット誤り率を小さくすることができる最小の検査ビット数を意味する。ｉ＝１〜Ｎのうち一つもｋｉｍｉｎが存在しない場合は（ステップＳ２０５−Ｎｏ）、検査ビット数ｋ’をどれだけ増やしても所望のＢＥＲを達成できないため、構成変更を行う（ステップＳ２０６）。なお、ｋｉｍｉｎの値に上限値を設け、ｋｉｍｉｎが上限値を超える場合には構成変更を行うようにしてもよい。
【００３８】
一方、ｉ＝１〜Ｎの全てでｋｉｍｉｎが存在する場合には（ステップＳ２０５−Ｙｅｓ）、ｉ＝１〜Ｎの全てで式（３）によりＬｉを求める（ステップＳ２０７）。
【００３９】
【数３】
2015173337.tif 000005
【００４０】
ここで、Ｌｉ＞０は、チャンネルｉにおいて、検査ビット数を｜Ｌｉ｜だけ減少させても所望のＢＥＲを達成できるということである。一方、Ｌｉ＜０は、検査ビット数を｜Ｌｉ｜だけ増加させれば所望のＢＥＲを達成できるということである。よって、Ｌｉが式（４）を満たすか否かを判定し（ステップＳ２０８）、Ｌｉが式（４）を満たさない場合には（ステップＳ２０８−Ｎｏ）、構成変更を行う（ステップＳ２０６）。
【００４１】
一方、式（４）を満たす場合には（ステップＳ２０８−Ｙｅｓ）、Ｌｉ＞０とＬｊ＜０（ただし、ｉ≠ｊ）のすべてのチャンネルで、ＳＮＲ値の小さいチャンネルほど（伝送品質指標が示す伝送品質が悪いほど）検査ビット数が大きくなり、且つ、式（５）の条件を満たすように、すなわち検査ビット数の全チャンネルの合計がチャンネル数Ｎ及び初期検査ビット数ｋの積と等しくなるように、チャンネルごとに初期検査ビット数ｋを増減させた検査ビットｋｉを決定する（ステップＳ２０９）。これにより、すべてのチャンネルが所望のＢＥＲを達成するようなｋｉの組み合わせを決定することができる。
【００４２】
【数４】
2015173337.tif 000006
【００４３】
【数５】
2015173337.tif 000007
【００４４】
なお、システム全体でより多くの伝送マージンを確保する（すなわち、所望のＢＥＲに比べてできるだけ小さいＢＥＲ（ＳＮＲｉ，ｋｉ）とする）という点で、式（６）が最小となるｋｉの組み合わせとすることが望ましい。
【００４５】
【数６】
2015173337.tif 000008
【００４６】
図４は、本発明の第１の実施形態に係る受信装置の概略構成を示すブロック図である。図４に示す例では、受信装置２は、Ｎ個の誤り訂正復号部２１（２１−１〜２１−Ｎ）を備える。受信装置２は、図１に示した送信装置１から入力される、伝送レートｙ１〜ｙＮｂｐｓのＮ本の符号化信号を受信する。そして、送信装置１で決定された検査ビット数ｋｉを基にした誤り検出及び訂正を行い、伝送レートｘｂｐｓのＮ本の復号信号を出力する。
【００４７】
図５は、誤り訂正復号部２１の構成例を示すブロック図である。図５に示す例では、誤り訂正復号部２１は、誤りビット計算部２１１と、誤り訂正部２１２とを備える。
【００４８】
誤りビット計算部２１１は、送信装置１で決定された検査ビット数ｋｉを取得する。取得方法は、別回線を用いて送信側から受信側へ通知する方法や、オフラインで通知する方法、情報ビットに重畳する方法などがある。誤りビット計算部２１１は、ｎ−ｋｉビットの情報ビットに付加されたｋｉビットの検査ビットを用いて誤りビットを計算する。
【００４９】
誤り訂正部２１２は、符号化信号の誤り訂正を行い、入力ｎビットに対してｎ−ｋｉビットの誤り訂正された信号を出力する。
【００５０】
このように、本発明によれば、受信信号の伝送品質指標（ＳＮＲ値、Ｑ値、ＢＥＲ、又はＭＥＲなど）が均一とならない場合に、チャンネルごとに誤り訂正符号化の冗長度を変化させることで、伝送効率を減少することなく所定の伝送品質を満足し誤りの少ない映像伝送を実現することができる。
【００５１】
（第２の実施形態）
次に、本発明の第２の実施形態について説明する。図６は、本発明の第２の実施形態に係る送信装置の概略構成を示すブロック図である。図６に示す例では、送信装置３は、Ｎ個の誤り訂正符号化部１１（１１−１〜１１−Ｎ）と、検査ビット数決定部１２と、マッピング部１３とを備える。第２の実施形態の送信装置３は、第１の実施形態の送信装置１と比較して、マッピング部１３を更に備える点、及び検査ビット数決定部１２による検査ビット数の決定方法が相違する。その他の構成については第１の実施形態と同様であるため、適宜説明を省略する。
【００５２】
マッピング部１３は、検査ビット数決定部１２から各チャンネルの検査ビット数ｋｉを取得し、誤り訂正符号化部１１から出力される伝送レートが同一となるように、Ｎ本の入力信号（伝送レートｘｐｂｓ）の伝送レートを調整し、伝送レートがｘ１〜ｘＮｂｐｓの信号にマッピングする。ただし、式（７）を満たすものとする。
【００５３】
【数７】
2015173337.tif 000009
【００５４】
誤り訂正符号化部１１で付与される検査ビット数を、誤り訂正符号化部１１−１はｋ１ビット、・・・、誤り訂正符号化部１１−ＮはｋＮビットとすると、誤り訂正符号化部１１に入力される信号の伝送レートは、式（８）で表される。ここで、ｋは例えば、図１３を参照して説明した従来の方法による検査ビット数（複数のチャンネルのＳＮＲ値のうち、最も小さいＳＮＲ値が所要ＳＮＲ値を満たすように設計した場合の検査ビット数）とすることができる。
【００５５】
【数８】
2015173337.tif 000010
【００５６】
誤り訂正符号化部１１は、第１の実施形態と同様に同一種類の誤り訂正符号を用いて誤り訂正符号化を行い、式（１）により、各出力信号の伝送レートはｙ＝ｎ・ｘ／（ｎ−ｋ）で同一となる。
【００５７】
図７は、本発明の第２の実施形態に係る受信装置の概略構成を示すブロック図である。図７に示す例では、受信装置４は、Ｎ個の誤り訂正復号部２１（２１−１〜２１−Ｎ）と、デマッピング部２２とを備える。第２の実施形態の受信装置４は、第１の実施形態の受信装置２と比較して、デマッピング部２２を更に備える点が相違する。その他の構成については第１の実施形態と同一であるため、適宜説明を省略する。
【００５８】
受信装置４は、図６に示した送信装置３から入力される、伝送レートｙｂｐｓのＮ本の符号化信号を受信する。そして、送信装置３で決定された検査ビット数ｋｉを基にした誤り検出及び訂正を行い、伝送レートｘｂｐｓのＮ本の信号を出力する。
【００５９】
誤り訂正復号部２１は、送信装置３で決定された検査ビット数ｋｉを取得する。そして、伝送レートｙｂｐｓのＮ本の符号化信号について、ｎ−ｋｉビットの情報ビットに付加されたｋｉビットの検査ビットを用いて誤り検出・訂正を行い、伝送レートがｘ１〜ｘＮｂｐｓのＮ本の復号信号をデマッピング部２２に出力する。
【００６０】
デマッピング部２２は、送信装置３のマッピング部１３と逆の処理により、伝送レートｘｂｐｓのＮ本の信号を出力する。つまり、デマッピング部２２は、各チャンネルの復号信号の伝送レートｘ１〜ｘＮｂｐｓが同一（ｘｐｂｓ）となるように、復号信号の伝送レートを調整してデマッピングする。
【００６１】
第１の実施形態では、送信装置１から出力されるＮ本の符号化信号の符号長が異なり、Ｅ／Ｏ変換及びＯ／Ｅ変換の動作クロックも異なるが、マッピング部１３及びデマッピング部２２を省略できる。一方、第２の実施形態では、Ｎ本の符号化信号の符号長を同一とすることで、Ｅ／Ｏ変換及びＯ／Ｅ変換の動作クロックを同一にすることができ、ハードウェア処理を単純化することができる。
【００６２】
図８は、本発明の第２の実施形態に係る送信装置の誤り訂正符号の具体例を示す図である。図８（ａ）は検査ビット数がチャンネル間で共通の初期検査ビット数である誤り訂正符号の具体例である。ＢＣＨ（２０４７，１９２６）は、誤り訂正符号がＢＣＨ符号であり、符号長が２０４７ビットであり、情報ビット数が１９２６ビットであることを表す。この例では、初期検査ビット数ｋ＝１２１である。
【００６３】
図８（ｂ）は検査ビット数が調整された誤り訂正符号の具体例である。この例では、チャンネル１，２について、マッピング部１３により、伝送レートｘｂｐｓの信号が、０．９６ｘｂｐｓと１．０４ｘｂｐｓの信号にマッピングされ、各々の信号について、ＢＣＨ（２０４７，１８４９）とＢＣＨ（２０４７，２００３）の冗長度が異なる誤り訂正符号化が行われ、伝送レートがｙｂｐｓの同一な２つの信号を出力する。検査ビット数ｋ１＝１９８、検査ビット数ｋ２＝４４であり、検査ビット数の合計は、図８（ａ）の例と等しい。
【００６４】
図９は、図８に示したＢＣＨ符号の冗長度を適用した場合のＳＮＲ対ＢＥＲ特性を示す図である。この図から分かるように、本発明では所要ＳＮＲが一定ではなく、所望のＢＥＲを１０−７とした場合、チャンネル１のＢＣＨ（２０４７，１８４９）とチャンネル２のＢＣＨ（２０４７，２００３）とで、約２ｄＢの差がある。例えば、ＳＮＲ値がチャンネル１では１５ｄＢ、チャンネル２では１７ｄＢであった場合、従来法では、全チャンネルでＢＣＨ（２０４７，１８４９）を用いて誤り訂正符号を行うことになるため、伝送効率が減少する。また、検査ビット数が初期値のままでは、チャンネル１がＢＣＨ（２０４７，１９２６）の所要ＳＮＲ値１５．６ｄＢを満たすことができない。一方、本発明によれば、チャンネル１はＢＣＨ（２０４７，１８４９）の所要ＳＮＲ値１４．８ｄＢを満たすことができ、チャンネル２はＢＣＨ（２０４７，２００３）の所要ＳＮＲ値１６．９ｄＢを満たすことができるため、伝送効率を減少させることなく所望のＢＥＲでの映像伝送が可能となる。
【００６５】
上述の実施形態は代表的な例として説明したが、本発明の趣旨及び範囲内で、多くの変更及び置換ができることは当業者に明らかである。したがって、本発明は、上述の実施形態によって制限するものと解するべきではなく、特許請求の範囲から逸脱することなく、種々の変形や変更が可能である。例えば、実施形態に記載の複数の構成ブロックを１つに組み合わせたり、あるいは１つの構成ブロックを分割したりすることが可能である。
【００６６】
また、上述した送信装置１，３、又は受信装置２，４として機能させるためにコンピュータを好適に用いることができ、そのようなコンピュータは、送信装置１，３、又は受信装置２，４の各機能を実現する処理内容を記述したプログラムを該コンピュータの記憶部に格納しておき、該コンピュータのＣＰＵによってこのプログラムを読み出して実行させることで実現することができる。なお、このプログラムは、コンピュータ読取り可能な記録媒体に記録可能である。
【産業上の利用可能性】
【００６７】
本発明は、例えば、大容量映像信号を構成する複数の光信号を多重して目標とする距離を伝送する映像伝送システムに利用可能である。なお、図１０では複数の信号を多重して伝送する技術としてＷＤＭを提示したが、偏波多重、複数ファイバやマルチコアファイバなどを用いた空間多重などにおいても、本発明を利用することが可能である。
【符号の説明】
【００６８】
１，３  送信装置
２，４  受信装置
１１    訂正符号化部
１２    検査ビット数決定部
１３    マッピング
２１    誤り訂正復号部
２２    デマッピング部
１１１  検査ビット付与部
１１２  誤り符号化部
２１１  誤りビット計算部
２１２  誤り訂正部
【図１】
2015173337.tif 000011
【図２】
2015173337.tif 000012
【図３】
2015173337.tif 000013
【図４】
2015173337.tif 000014
【図５】
2015173337.tif 000015
【図６】
2015173337.tif 000016
【図７】
2015173337.tif 000017
【図８】
2015173337.tif 000018
【図９】
2015173337.tif 000019
【図１０】
2015173337.tif 000020
【図１１】
2015173337.tif 000021
【図１２】
2015173337.tif 000022
【図１３】
2015173337.tif 000023